(57)【特許請求の範囲】
【請求項１】
試験ストリップ（１４２）を格納しかつ分与する試験ストリップ分与装置（６００、７００、８００）であって、
前記試験ストリップのスタック（１０４）を装填するカートリッジ（６１０、７１２、８１４）と、該カートリッジを取り外し可能に装着する空洞（６１２、７１４）を有する容器（６０２、７０２、８０２）とを備え、
該カートリッジは、
可撓性薄板（６０４、７０４、８０４）であって、その前端（６２０、７２２、８２０）が、前記試験ストリップのスタック中の１枚の試験ストリップの後端に接触し、前記１枚の試験ストリップを押し出すように作用可能な可撓性薄板と、
アクチュエータ（６０６、７１０、８０６）であって、手動操作されることにより前記可撓性薄板の後端を移動させ、前記可撓性薄板の前端によって、前記１枚の試験ストリップの後端を押し、該１枚の試験ストリップの前端を前記容器外部に押し出すように作用させるアクチュエータと、を有することを特徴とする試験ストリップ分与装置。
【請求項２】
前記可撓性薄板（６０４）を巻き付けるとともに、前記可撓性薄板の後端（６１６）が固定される円筒状ドラム（６１４）を有する請求項１に記載の試験ストリップ分与装置。
【請求項３】
前記カートリッジに、前記アクチュエータ（６０６）と前記円筒状ドラムとを接続する歯車列（６２８）が設けられている請求項２に記載の試験ストリップ分与装置。
【請求項４】
前記可撓性薄板（７０４）の後端が固定されるラック（７０６）を有する請求項１に記載の試験ストリップ分与装置。
【請求項５】
前記カートリッジに、前記アクチュエータ（７１０）と前記ラックとを接続するピニオン（７０８）が設けられている請求項４に記載の試験ストリップ分与装置。
【請求項６】
前記アクチュエータが、前記容器の外側に少なくとも部分的に露出されたサムホイール（６０６、７１０）である請求項１ないし５のいずれか一項に記載の試験ストリップ分与装置。
【請求項７】
前記容器の選択的な開閉及びサムホイールの露出及び隠蔽を行う蓋（６０８）を備えたことを特徴とする請求項６に記載の試験ストリップ分与装置。
【請求項８】
前記アクチュエータが、旋回点（８０８）を中心に旋回するレバーアーム（８０６）である請求項１に記載の試験ストリップ分与装置。
【請求項９】
前記１枚の試験ストリップの後端が、前記可撓性薄板の前端に接触する位置に配置されるように、前記試験ストリップのスタックを付勢するバイアス要素を備える請求項１ないし８のいずれか一項に記載の試験ストリップ分与装置。
【請求項１０】
前記可撓性薄板の前端が、ガイドトラック（６１８、７１６、８１８）内を移動するように配置されている請求項１ないし９のいずれか一項に記載の試験ストリップ分与装置。
【請求項１１】
請求項１ないし１０のいずれか一項に記載の試験ストリップ分与装置を用い、前記アクチュエータを操作して、前記試験ストリップを分与する方法。
【発明の詳細な説明】
【技術分野】
【０００１】
本発明は、全体的に、生物学流体を試験するための診断試験ストリップに関する。より詳細には、本発明は、診断試験ストリップを格納しかつ分与するための装置および方法に関する。
【背景技術】
【０００２】
診断試験ストリップは、生物学流体内の検体濃度を測定するために使用される。例えば、診断試験ストリップは、血液グルコースレベルを監視するために糖尿病患者によってしばしば使用される。
【０００３】
それらの完全性を保存するために、診断試験ストリップは、適切な環境条件で維持されなければならない。すなわち、試験ストリップは、適切な湿度レベルで維持されなければならず、かつ異物がないままでなければならない。さらに、油または異物による汚染を避けるために、試験ストリップは、使用の前に取り扱われてはならない。
【０００４】
したがって、試験ストリップを保存するために、それらは、典型的に格納バイアル（ｓｔｒａｇｅ  ｖｉａｌ）など内で維持される。試験ストリップを使用するために、使用者は、バイアル内に到達し、単一の試験ストリップを取り出さなければならない。しかしながら、糖尿病患者などの多くの使用者は、視覚または身体上の器用さが損なわれている。そのような使用者は、格納バイアルから単一の試験ストリップを取り出すことに困難を感じることがある。さらに、使用者は、１つの試験ストリップを引き出すために格納バイアル内に到達する間に多数の試験ストリップに誤って接触し、使用されていない試験ストリップを汚染することがある。
【０００５】
したがって、適切な環境条件内に診断試験ストリップを格納し、かつ１つずつ試験ストリップを好都合に分与するための装置の必要性がある。
【０００６】
【特許文献１】米国特許第５９１１９３７号明細書
【発明の概要】
【発明が解決しようとする課題】
【０００７】
本発明の目的は、少なくとも上記問題および／または欠点に対処でき、かつ以下に記載される少なくとも利点を提供することである。すなわち、本発明の目的は、複数の試験ストリップを格納し、かつ１つずつ試験ストリップを分与する装置を提供することである。
【課題を解決するための手段】
【０００８】
本発明の一実施形態によれば、上記および他の目的は、試験ストリップを格納しかつ分与する装置によって達成され、この装置は、試験ストリップのスタック（ｓｔａｃｋ）を格納するように構成された容器と、容器内に配置されかつ試験ストリップのスタックの１つの試験ストリップに接触するように構成されたローラと、容器から１つの試験ストリップを分与するためにローラを作動するためのアクチュエータとを備える。
【０００９】
本発明の他の実施形態によれば、試験ストリップを格納しかつ分与する装置は、試験ストリップのスタックを格納するように構成された容器と、一体成形ヒンジ（ｌｉｖｉｎｇ  ｈｉｎｇｅ）によって容器に接続された蓋と、蓋に動作式に接続されたリンク装置アセンブリ（ｌｉｎｋａｇｅ  ａｓｓｅｍｂｌｙ）とを備える。リンク装置アセンブリは、蓋が開かれたときに、試験ストリップが分与されるように、試験ストリップのスタックの１つの試験ストリップに接触するように構成される。
【００１０】
本発明のさらに他の実施形態によれば、試験ストリップを格納しかつ分与する装置は、試験ストリップのスタックを格納するように構成された容器と、容器内に配置され、かつ試験ストリップのスタックの１つの試験ストリップに接触するように構成されたばねと、容器から１つの試験ストリップを分与するためにばねを作動するためのアクチュエータとを備える。
【００１１】
本発明のさらに他の実施形態によれば、試験ストリップを格納しかつ分与する装置は、試験ストリップのスタックを格納する手段と、試験ストリップのスタックの１つの試験ストリップに接触する手段と、接触する試験ストリップを分与するために接触する手段を作動する手段とを備える。
【００１２】
本発明のさらに他の実施形態によれば、試験ストリップを格納しかつ分与する方法は、試験ストリップのスタックを形成するために複数の試験ストリップを配置するステップと、複数の試験ストリップを格納容器内に格納するステップと、試験ストリップのスタックを分与位置へ向けて付勢するステップと、試験ストリップのスタックを係合部材に係合するステップと、接触された試験ストリップを分与するために係合部材を作動するステップと、他の試験ストリップが分与位置に配置されるように、残りの試験ストリップを分与位置に向けて付勢するステップとを含む。
【００１３】
本発明のいくつかの例示的実施形態の上記および他の目的、特徴、ならびに利点は、添付の図面に関連して行われる以下の記載からより明らかになろう。
【００１４】
複数の図面を通して、同一の参照符号は、同一の要素、特徴、および構造を参照すると理解される。
【図面の簡単な説明】
【００１５】
【図１】本発明の第１の例示的実施形態による試験ストリップを格納しかつ分与するための格納バイアルの斜視図である。
【図２】図１に示される格納バイアルの正面図である。
【図３】図１に示される格納バイアルの上面図である。
【図４】図３の線４−４に沿った断面図である。
【図５】図３の線５−５に沿った断面図である。
【図６】部分的に分与された試験ストリップを有する、図１に示される格納バイアルの一部を切り取った斜視図である。
【図７】分与器を動作するためのモータを有する、図１に示される格納バイアルの斜視図である。
【図８】本発明の第２の例示的実施形態による試験ストリップを格納しかつ分与するための格納バイアルの斜視図である。
【図９】図８に示される格納バイアルの上面図である。
【図１０】図９の線１０−１０に沿った断面図である。
【図１１】図９の線１１−１１に沿った断面図である。
【図１２】図８に示される格納バイアルのいくつかの要素の拡大断面図である。
【図１３】本発明の第３の例示的実施形態による試験ストリップを格納しかつ分与するための格納バイアルの断面図である。
【図１４】図１３に示される格納バイアルの他の断面図である。
【図１５】本発明の第４の例示的実施形態による試験ストリップを格納しかつ分与するための格納バイアルの切り取った斜視図である。
【図１６】図１５に示される格納バイアルのいくつかの要素の拡大図である。
【図１７】部分的に分与された試験ストリップを有する、図１５に示される格納バイアルの断面図である。
【図１８】本発明の第５の例示的実施形態による試験ストリップを格納しかつ分与するための格納バイアルの切り取った斜視図である。
【図１９】部分的に分与された試験ストリップを有する、図１８に示される格納バイアルの切り取った斜視図である。
【図２０】図１８に示される格納バイアルのリンク装置部材の斜視図である。
【図２１】本発明の第６の例示的実施形態による試験ストリップを格納しかつ分与するための格納バイアルの断面図である。
【図２２】本発明の第７の例示的実施形態による試験ストリップを格納しかつ分与するための格納バイアルの断面図である。
【図２３】本発明の第８の例示的実施形態による試験ストリップを格納しかつ分与するための格納バイアルの斜視図である。
【図２４】図２３に示される格納バイアルのカートリッジの斜視図である。
【発明を実施するための形態】
【００１６】
詳細な構造および要素などの記載において規定される事象は、本発明の実施形態の包括的な理解を助長するために提供される。したがって、当業者は、本明細書に記載される実施形態の様々な変更および修正が、本発明の範囲および趣旨から逸脱せずに行われることができることを認識するであろう。また、良く知られている機能および構造の記載は、明瞭性および簡潔性のために省略される。
【００１７】
第１の例示的実施形態
図１〜図７を参照すると、本発明の第１の例示的実施形態による試験ストリップを格納しかつ分与するための格納バイアル１００は、試験ストリップのスタック１０４を格納するように構成された格納容器１０２と、容器内に回転可能に配置されたストリップローラ１０６と、容器内に回転可能に配置されたサムホイール（ｔｈｕｍｂｗｈｅｅｌ）１０８とを含む。ストリップローラ１０６は、試験ストリップのスタック１０４の１つの試験ストリップ１４２と接触する。サムホイール１０８が回転されるとき、ストリップローラ１０６が、ストリップローラ１０６と接触する試験ストリップ１４２を分与するために回転するように、サムホイール１０８は、ストリップローラ１０６を動作させる。
【００１８】
格納容器１０２は、下方本体部分１１０、および下方本体部分１１０内に搭載された上方壁１１２を含む。格納容器１０２の下方本体部分１１０は、全体的に矩形であり、かつ試験ストリップのスタック１０４を格納するように構成された空洞１１４を形成する。試験ストリップ支持壁１１６は、容器の底部壁１１８から上方に延びる。試験ストリップ支持壁１１６は、格納容器１０２内に装填される試験ストリップのスタック１０４のための支持体を提供するのに十分に高い。試験ストリップ支持壁１１６は、それがストリップローラ１０６を妨げないように、ストリップローラ１０６に達しないで終端することができる。代わりに、試験ストリップ支持壁は、格納容器１０２の上部壁１１２の底部表面に延び、かつストリップローラ１０６の設置および動作のための間隔を提供するためのスロットを有することができる。
【００１９】
格納容器１０２は、容器の内側の固有の相対湿度を調整するために乾燥剤が混入されたポリマーで作られることができる。特許文献１は、１つの適切な乾燥剤が混入されたポリマーを開示する。代わりに、格納容器１０２は、インサート（ｉｎｓｅｒｔ）成形された乾燥剤を有するポリマーで作られることができ、または乾燥剤は、空洞１１４内に配置されることができる。
【００２０】
格納容器１０２の上部壁１１２は、好ましくは、より容易な製造およびアセンブリのために格納容器１０２の残りとは別個に作られる。試験ストリップ１０４が格納容器１０２内に装填された後、上部壁１１２は、超音波溶接によって、接着剤によって、機械的な係合（スナップはめ込みなど）によって、または当業者によって知られている任意の他の適切な方法によって格納容器１０２に固定されることができる。格納容器１０２の上部壁１１２は、それを通って試験ストリップが分与される分与スロット１２０を形成する。上部壁１１２の上部表面１２２は、試験ストリップを分与するためにサムホイール１０８を回転する方向を示すための表示１３６（矢印など）を持たせることができる。第１の支持部材１２４は、以下に詳細に議論されるように、ストリップローラ１０６を回転可能に支持するために上部壁１１２の底部表面１２６から延びる。第２の支持部材１２８は、また、上部壁１１２の底部表面から延びる。サムホイール１０８は、第２の支持部材１２８によって回転可能に支持され、かつサムホイール１０８は、格納容器１０２の上部壁１１２を通る第２のスロットを通って延びる。下方に延びる試験ストリップ支持壁は、それらが分与されているとき（図６参照）、分与スロット１２０内に試験ストリップを支持しかつ案内するために、試験ストリップ分与スロット１２０に隣接して配置されることができる（図１４の８３１参照）。
【００２１】
格納容器１０２は、湿気または他の環境汚染物が格納容器１０２に入ることを妨げるために蓋１３８を備えることができる。蓋１３８は、別個の構成部品であり得るが、蓋１３８は、好ましくはヒンジ（蝶番）１４０によって格納容器１０２に接続される。示される実施形態において、蓋１３８は、それが、一体成形ヒンジ１４０によって格納容器１２１に接続されるように、格納容器１０２の下方本体部分１１０と一体に形成される。蓋１３８は、好ましくは、格納容器１０２の下方本体部分１１０と実質的に密閉シールを形成する。そのようなシールは、当業者には知られており、したがって、シールの詳細な記載は、簡潔性のために省略される。また、説明の便宜のために、蓋は図１にだけ示される。
【００２２】
圧縮ばねまたは板ばねなどのバイアス要素１３２は、格納容器１０２に格納された試験ストリップのスタック１０４をストリップローラ１０６と接触するように付勢する。押圧板（ｐｌａｔｆｏｒｍ）１３４は、試験ストリップのスタック１０４の長さに沿ってバイアス要素１３２によって生成される力を均一に分配するために、バイアス要素１３２と試験ストリップのスタック１０４との間に配置しても良い。しかしながら、試験ストリップが十分に堅固であるなら、バイアス要素１３２は、試験ストリップと直接接触しても良い。
【００２３】
ストリップローラ１０６は、格納容器１０２の上部壁１１２から下方へ延びる第１の支持部材１２４によって回転可能に支持される。ストリップローラ１０６は、試験ストリップのスタック１０４内の試験ストリップ１４２の１つと接触する。示される実施形態（図４）において、ストリップローラ１０６は、最も右側の試験ストリップ１４２と係合する。好ましくは、ストリップローラ１０６は、試験ストリップの上方部分内の試験ストリップと係合する。ストリップローラ１０６の外側周囲表面１４４は、試験ストリップと摩擦係合しかつ分与するために、十分な摩擦係数を有するべきである。例えば、ストリップローラ１０６は、金属または成形されたプラスチックローラインサートに結合されたゴムで作ることができる。ストリップローラ歯車１４６は、ストリップローラ１０６の一方側に配置される。
【００２４】
サムホイール１０８は、第２の支持部材１２８によって回転可能に支持される。複数の歯車歯１４８は、サムホイール１０８の外側周囲の周りに配置され、かつサムホイール１０８上の歯車歯１４８は、ストリップローラ歯車１４６と係合する。歯車歯１４８は、また、ユーザが、親指、他の指などでサムホイール１０８をより好都合に動作することを可能にするために摩擦を提供する。
【００２５】
代わりに、図７に示されるように、格納容器１０２は、完全に自動化された試験ストリップ分与器で使用されることができる。この場合、自動化された試験ストリップ分与器は、ピニオン（ｐｉｎｉｏｎ）歯車１５２を有するモータ１５０を備え、格納容器１０２は、ピニオン歯車１５２がサムホイール１０８と係合するように、自動化された試験ストリップ分与器内に配置される。自動化された試験ストリップ分与器は、所望であれば、試験ストリップ１０４を読み取る血液グルコースメータと組み合わされることができる。
【００２６】
さらに、ラチェット（ｒａｔｃｈｅｔ）または歯止めなどのロッキング部材１５４は、サムホイール１０８を係合するために格納容器１０２上に配置されることができる。ロッキング部材１５４は、サムホイール１０８が、一方向（すなわち分与方向）に回転することを可能にするが、サムホイール１０８が反対方向に回転することを妨げる。
【００２７】
本発明の第１の例示的実施形態による試験ストリップを格納しかつ分与するための格納バイアルを使用する方法は、以下に記載される。最初に、ストリップローラ１０６およびサムホイール１０８は、格納容器１０２の上方壁１１２上でそれぞれ第１の支持部材１２８および第２の支持部材１３０にアセンブリされる。試験ストリップのスタック１０４は、試験ストリップのスタック１０４が、押圧板１３４と試験ストリップ支持壁１３０との間に配置されるように、格納容器１０２の下方本体部分１１０内に装填される。バイアス要素１３２は、押圧板１３４と格納容器の反対側の壁との間の空洞１１４内に設置される。ストリップローラ１０６およびサムホイール１０８が取り付けられた上部壁１１２は、次に、格納容器１０２の下方本体にアセンブリされる。蓋１３８は、実質的に密閉シールを形成するために格納容器１０２上に配置される。格納バイアル１００は、以降格納されることができ、試験ストリップのスタック１０４は、湿気などの環境危険物から保護される。典型的に、これらステップは、格納バイアルの最終使用者よりむしろ製造者によって行われる。
【００２８】
試験ストリップを分与するために、使用者は、サムホイール１０８およびストリップ分与スロット１２０を露出するために蓋１３８を開く。使用者は、次に、使用者の指などによってサムホイール１０８を操作することによって、分与方向にサムホイール１０８を回転する。サムホイール１０８の回転時に、サムホイール１０８は、サムホイール１０８上の歯車歯１４８およびストリップローラ歯車１４６を介して、ストリップローラ１０６に回転力を伝達する。この結果、ストリップローラ１０６は回転する。ストリップローラ１０６は、試験ストリップのスタック１０４の１つの試験ストリップ１４２と接触し、かつストリップローラ１０６と接触された試験ストリップ１４２との間に生成される摩擦力によって、試験ストリップ分与スロット１２０を通して接触された試験ストリップ１４２を分与する。サムホイール１０８は、試験ストリップ１４２が格納容器１０２から完全に分与されて出るように回転されることができ、または試験ストリップ１４２は、使用者が、試験ストリップを完全に引き出しかつ試験ストリップを使用するために、露出された試験ストリップ１４２を把持することができるように、試験ストリップを露出するために格納容器１０２から部分的に分与されることができる。
【００２９】
試験ストリップが、格納容器１０２から完全に分与されると、バイアス要素１３２は、新規の試験ストリップが、ストリップローラ１０６と接触して配置されるように、試験ストリップのスタック１０４内の残る試験ストリップをストリップローラ１０６の方に付勢する。したがって、次の試験ストリップを分与するために、使用者は、再びサムホイール１０８を回転する。所望の数の試験ストリップを分与した後、使用者は、次に、将来の使用のために残る試験ストリップを格納するために、格納容器１０２上に蓋を元の場所に戻すことができる。
【００３０】
格納容器１０２内に格納された全ての格納された試験ストリップが分与された後、格納バイアル１００は、廃棄されることができ、またはリサイクルのために製造者に戻されることができる。代わりに、格納容器１０２は、再使用可能であるように構成されることができる（例えば、上方壁１１２を下方本体部分１１０から取り外し可能とすることによって）。
【００３１】
第２の例示的実施形態
図８〜図１２を参照すると、本発明の第２の例示的実施形態による試験ストリップを格納しかつ分与するための格納バイアル２００は、試験ストリップのスタック２０４を格納するように構成された格納容器２０２と、格納容器２０２内に回転可能に配置されたストリップローラ２０６と、容器内に配置された押しボタン２０８とを含む。ストリップローラ２０６は、試験ストリップのスタック２０４の１つの試験ストリップ２２６と接触する。押しボタン２０８が押されるとき、ストリップローラ２０６が、ストリップローラと接触する試験ストリップ２２６を分与するために回転するように、押しボタン２０８は、歯車列２３０によってストリップローラ２０６と連結される。
【００３２】
格納容器２０２は、下方本体部分２１０、および下方本体部分２１０内に搭載された上方壁２１２を含む。格納容器２０２の下方本体部分２１０は、本発明の第１の例示的実施形態の格納容器１００の下方本体部分１１０と実質的に同一に構成される。したがって、下方本体部分２１０の詳細な記載は繰り返されない。
【００３３】
格納容器２０２の上部壁２１２は、それを通って試験ストリップが分与される試験ストリップ分与スロット２１６を有する。第１の支持部材２１８は、以下に詳細に議論されるように、ストリップローラ２０６を回転可能に支持するために上部壁２１２の底部表面２２０から延びる。第２の支持部材２２２は、中間歯車２３２を回転可能に支持するために、上部壁２１２の底部表面２２０から延びる。
【００３４】
押しボタン２０８は、第１の端部２３４および第２の端部２３６を有する。押しボタン２０８の第１の端部２３４は、それが使用者によって操作されることができるように、格納容器２０２の上方壁２１２内に配置されたスロットを通して延びる。押しボタン２０８の第２の端部２３６は、格納容器２０２の空洞２１４の内側に配置される。ラック歯車２３８は、押しボタン２０８の第２の端部２３６の近くで、押しボタン２０８の長さに沿って形成される。
【００３５】
押しボタンは、静止位置（例えば図１０に示される）と分与位置との間で移動可能である。引っ張りばねなどのバイアス要素２４０は、上方壁２１２と押しボタン２０８との間に配置される。バイアス要素２４０は、押しボタン２０８を静止位置へ付勢する。
【００３６】
押しボタン２０８は、押しボタンの一方側に配置された少なくとも１つのトラックを有し、かつ押しボタン２０８の両側に配置されたトラックを有することができる。トラックは、押しボタン、ラック歯車２３８を中間歯車２３２から分離させるように構成される。したがって、押しボタン２０８は、中間歯車２３２を回転することなく、分与位置から静止位置へ復元されることができる。
【００３７】
中間歯車２３２は、格納容器２０２の上方壁２１２の底部表面２２０から下方へ延びる第２の支持部材２２２上に回転可能に配置される。中間歯車２３２は、歯車を動作式に接続しかつ歯車列２３０を形成するために、押しボタン２０８上のラック歯車２３８とストリップローラ２０６上のストリップローラ歯車２２８との間に配置される。
【００３８】
ストリップローラ２０６は、格納容器２０２の上方壁２１２の底部表面２２０から下方に延びる第１の支持部材２１８によって回転可能に支持される。ストリップローラ２０６は、本発明の第１の例示的実施形態のストリップローラ１０６とほぼ同一に構成される。したがって、ストリップローラ２０６の詳細な記載は、繰り返されない。
【００３９】
本発明の第２の例示的実施形態による試験ストリップを格納しかつ分与するための格納バイアル２００を使用する方法は、以下に記載される。最初に、ストリップローラ２０６、押しボタン２０８、バイアス要素２４０、および中間歯車２３２は、格納容器２０２の上方壁２１２にアセンブリされる。試験ストリップのスタック２０４は、試験ストリップのスタック２０４が、押圧板２４６（およびバイアス要素２４４）と試験ストリップ支持壁２４８との間に配置されるように、格納容器２０２の下方本体部分２１０内に装填される。設置された構成要素を有する上部壁２１２は、次に、ストリップローラ２０６が、試験ストリップのスタック２０４の１つの試験ストリップ２２６と係合するように、格納容器２０２の下方本体部分２１０にアセンブリされる。その後、蓋２２４を閉じることができ、試験ストリップのスタックを、所望な限り長く格納することができる。
【００４０】
試験ストリップを分与するために、使用者は、蓋２２４を開き、かつ静止位置から分与位置に押しボタン２０８を移動するために押しボタン２０８を押す。最初に、押しボタン２０８上のトラックは、ラック歯車２３８を中間歯車２３２に係合させる。したがって、押しボタン２０８の移動は、ラック歯車２３８に中間歯車２３２を回転させる。中間歯車２３２の回転は、ストリップローラ歯車２２８を回転させ、ストリップローラ２０６に、ストリップローラ２０６が接触する試験ストリップ２２６を分与させる。押しボタン２０８は、試験ストリップ２２６が格納容器２０２から完全に分与されて出るように構成することができ、または試験ストリップ２２６は、使用者が、試験ストリップを格納容器２０２から完全に引き出すために、露出された試験ストリップ２２６を把持することができるように、試験ストリップを露出するために格納容器２０２から部分的に分与され得る。
【００４１】
試験ストリップ２２６が分与されると、バイアス要素２４４は、新規の試験ストリップが、分与されることができるように、試験ストリップ支持壁２４８に対して押圧板２４６および試験ストリップのスタック２０４を付勢する。
【００４２】
使用者が、押しボタン２０８を解放するとき、ラック歯車２３８に沿って中間歯車２３２から離してかつ中間歯車２３２との係合を解く。したがって、押しボタン２０８は、中間歯車２３２およびストリップローラ歯車２２８を逆方向に回転させずに、静止位置に戻ることができる。
【００４３】
第３の例示的実施形態
図１３〜図１４を参照すると、本発明の第３の例示的実施形態による試験ストリップを格納しかつ分与するための格納バイアル３００は、試験ストリップのスタックを格納するように構成された格納容器３０２と、格納容器３０２内に回転可能に配置されたストリップローラ３０６と、格納容器３０２内に配置された押しボタン３０８とを含む。ストリップローラ３０６は、試験ストリップのスタックの１つの試験ストリップと接触する。押しボタン３０８が押されるとき、ストリップローラ３０６が、ストリップローラ３０６と接触する試験ストリップを分与するために回転するように、押しボタン３０８は、歯車列によってストリップローラ３０６と連結される。
【００４４】
本発明の第３の例示的実施形態の格納容器３０２は、歯車列の中間歯車３１６および押しボタン３０８の構成を除いて、本発明の第２の例示的実施形態の格納容器２０２とほぼ同一である。
【００４５】
本発明のこの実施形態において、押しボタン３０８は、中間歯車３１６にラック歯車を係合しかつ中間歯車３１６からラック歯車を分離するためのトラックを有さない。実際、押しボタン３０８は、格納容器３０２の下方本体部分３０４の外側壁の内表面に配置されかつ格納容器３０２の下方本体部分３０４の外側壁の内表面に配置された押しボタンガイドトラック３１０によって案内される延長されたガイドピン（図示せず）を有する。ガイドトラック３１０は、押しボタン部材が、実質的に真っ直ぐ格納容器３０２内にかつ格納容器３０２から外に移動するように、下方本体部分の縁部にほぼ平行である。
【００４６】
本発明のこの実施形態の中間歯車３１６は、格納容器の上部壁から延びる支持部材によって支持されていない。その代わり、中間歯車３１６は、格納容器３０２の下方本体部分３０４の外側壁の内表面に形成された一対の中間歯車ガイドトラック３１２内に配置されかつ中間歯車ガイドトラック３１２によって案内される延長されたシャフト部分（図示せず）を有する。したがって、中間歯車３１６は、中間歯車ガイドトラック３１２の長さに沿って直線的に自由に移動する。
【００４７】
本発明の第３の例示的実施形態による試験ストリップを格納しかつ分与するための格納バイアル３００を使用する方法は、以下に記載される。最初に、格納バイアル３００は、試験ストリップのスタックを装填され、かつ実質的に上述と同じ方法でアセンブリされる。
【００４８】
試験ストリップを分与するために、使用者は、静止位置から分与位置に押しボタン３０８を移動するために押しボタン３０８を押す。最初に、押しボタン３０８上のラック歯車は、中間歯車３１６に係合し、中間歯車３１６は、中間歯車ガイドトラック３１２の下側端部３１４へ向かって直線的に移動する。中間歯車ガイドトラック３１２の下側端部３１４に到達すると、ガイドトラック３１２は、中間歯車３１６の任意のさらなる線形移動を防止する。したがって、押しボタン３０８のさらなる移動は、押しボタン３０８上のラック歯車に中間歯車３１６を回転させる。中間歯車３１６の回転は、ストリップローラ歯車を回転させ、ストリップローラ３０６に試験ストリップを分与させる。押しボタン３０８は、試験ストリップを完全に分与するように構成されることができ、または試験ストリップは、使用者が、試験ストリップを格納容器３０２から完全に引き出すために、露出された試験ストリップを把持することができるように、試験ストリップを露出するために格納容器３０２から部分的に分与され得る。
【００４９】
使用者が、押しボタン３０８を解放するとき、バイアス要素は、押しボタン３０８を、分与位置から静止位置に戻るように付勢する。静止位置へ向かう押しボタン３０８の初期に移動の間に、中間歯車３１６は、中間歯車ガイドトラック３１２に沿って、ガイドトラックの上方端部へ向かう移動に変換する。中間歯車３１６が、十分に離れて移動するとき、それは、ストリップローラ歯車を分離する。したがって、押しボタン３０８は、ストリップローラ歯車が反対方向に回転することなく、静止位置に戻ることができる。
【００５０】
第４の例示的実施形態
図１５〜図１７を参照すると、本発明の第４の例示的実施形態による試験ストリップを格納しかつ分与するための格納バイアル４００は、試験ストリップのスタック４０４を格納するように構成された格納容器４０２と、蝶番４０８によって格納容器に接続された蓋４０６と、蓋４０６に動作式に接続されたリンク装置アセンブリ４１０とを含む。蓋４０６が開かれたとき、リンク装置アセンブリ４１０は、試験ストリップのスタック４０４の１つの試験ストリップ４１２と係合し、かつ試験ストリップ４１２を分与する。
【００５１】
格納容器４０２は、全体的に矩形である下方本体部分４１４を有し、かつ試験ストリップのスタック４０４を格納するように構成された空洞４１６を形成する。格納容器４０２は、前述されたように任意の適切な材料で形成される。
【００５２】
格納バイアル４００は、湿気または他の環境汚染物が格納容器に入ることを妨げるために蓋４０６を備える。蓋４０６は、蝶番４０８によって格納バイアルに接続される。示される実施形態において、蓋４０６が、一体成形ヒンジ４０８に接続されるように、格納容器の下方本体部分と一体に形成される。しかしながら、任意のタイプの蝶番構成が使用されることができる。蓋４０６は、好ましくは、格納容器４０２の下方本体部分４１４と密閉シールを形成する。
【００５３】
リンク装置アセンブリ４１０は、蓋４０６に接続された第１のアーム部材４１８と、一体成形ヒンジ４２８によって第１のアーム部材４１８に接続された第２のアーム部材４２０と、一体成形ヒンジ４２８によって第２のアーム部材４２０に接続された第３のアーム部材４２２とを含む。第１のアーム部材４１８は、全体的にＶ形状部材である。示される実施形態において、Ｖ形状部材の２つの脚部は、互いに対して鈍角を形成する。第１のアーム部材４１８は、熱ステーキング（ｓｔａｋｉｎｇ）、超音波溶接、機械的な取付け、または当業者により知られている任意の他の適切な方法によって蓋４０６に取り付けられる。
【００５４】
第２のアーム部材４２０は、第２のアーム部材の両端部で一体成形ヒンジ４２８によって第１のアーム部材４１８および第３のアーム部材４２２を結合する。一体成形ヒンジの使用は、より低い製造価格などのいくつかの利点を提供するが、アームも、他のタイプの蝶番によって結合されることができることは理解されるべきである。
【００５５】
第３のアーム部材４２２は、格納容器４０２の下方本体部分４１４の側壁内に配置されたレール内に配置されかつレール内で移動するように構成された、ガイドピンなどのガイド部材４３０を有する。第３のアーム部材４２２は、試験ストリップのスタック４０４の１つの試験ストリップ４１２の下方縁部に接触するように構成された下方接触部材４２６を有する。特に、図示された実施形態において、第３のアーム部材４２２は、最も右側の試験ストリップ４１２の下方縁部と接触する。
【００５６】
図示のように、一組の第１、第２、および第３のアーム部材は、格納容器４０２の前方側（図において手前側）に提供される。安定性のために、第１の組の第１、第２、および第３のアーム部材と実質的に同一である第２の組の第１、第２、および第３のアーム部材は、格納容器４０２の後方側（図において背面側）に配置されることができる。
【００５７】
本発明の第４の例示的実施形態による試験ストリップを格納しかつ分与するための格納バイアル４００を使用する方法は、以下に記載される。最初に、蓋４０６が開かれ、試験ストリップのスタック４０４は、押圧板４３２と格納容器４０２の外側壁４３４との間で容器内に装填され、かつ蓋４０６が閉じられる。蓋４０６が閉じられると、リンク装置アセンブリ４１０は、静止位置に配置される。静止位置において、第３のアーム部材４２２は、格納容器の底部に配置され、かつ下方接触部材４２６は、最も右側の試験ストリップ４１２の底部縁部の下側に配置される。
【００５８】
試験ストリップを分与するために、使用者は、格納容器４０２の蓋４０６を開く。蓋４０６を開くことは、第１のアーム部材４１８を格納容器まで回転させかつ格納容器の外に回転させる。第１のアーム部材４１８に接続される第２のアーム部材４２０および第３のアーム部材４２２もまた上昇される。第３のアーム部材４２２は、ガイド部材４３０とガイドレールとの協働のために実質的に垂直に上方に移動し、かつ分与位置まで上昇させられる。第３のアーム部材４２２の下方接触部材４２６は、試験ストリップ４１２の下に配置されるので、それは、上昇しかつ試験ストリップ４１２を分与する。第３のアーム部材４２２が、分与位置に到達すると、使用者は、試験ストリップを把持しかつ分与された試験ストリップ４１２を取り出すことができる。第１のアーム部材４１８、第２のアーム部材４２０、および第３のアーム部材４２２は、試験ストリップ４１２を格納容器４０２の外に完全に分与するように構成されることができ、または試験ストリップ４１２は、使用者が、試験ストリップを格納容器４０２から完全に引き出しかつ試験ストリップを使用するために露出された試験ストリップ４１２を把持することができるように、試験ストリップを露出するために格納容器４０２から部分的に分与されることができる。
【００５９】
試験ストリップ４１２が分与された後、使用者は、次に蓋４０６を閉じることができる。蓋４０６を閉じることは、リンク装置アセンブリ４１０をその静止位置に戻させる。リンク装置アセンブリ４１０、および特に第３のアーム部材４２２が、静止位置に到達するとき、バイアス要素４３６は、新規な試験ストリップが、新規な試験ストリップの下方接触部材４２６上に配置されるように、試験ストリップのスタック４０４を外側壁４３４に向かって付勢する。したがって、格納バイアル４００は、次の試験ストリップを分与する準備がなされる。
【００６０】
第５の例示的実施形態
図１８〜図２０を参照すると、本発明の第５の例示的実施形態による試験ストリップを格納しかつ分与するための格納バイアル５００は、試験ストリップのスタックを格納するように構成された格納容器５０２と、蝶番５０６によって格納容器５０２に接続された蓋５０４と、蓋５０４に動作式に接続されたリンク装置アセンブリ５０８とを含む。蓋５０４が開かれたとき、リンク装置アセンブリ５０８は、試験ストリップのスタックの１つの試験ストリップ５１０と係合し、かつ試験ストリップを分与する。
【００６１】
この実施形態の格納容器５０２および蓋５０４は、第４の例示的実施形態の格納容器４０２および蓋４０６と全体的に同一に構成される。
【００６２】
リンク装置アセンブリ５０８は、少なくとも１つのスライダアーム（ｓｌｉｄｅｒ  ａｒｍ）５１２、少なくとも１つの第１のリンク装置部材５１４、および少なくとも１つの第２のリンク装置部材５１６を含む。図示される実施形態において、一対のスライダアーム５１２、一対の第１のリンク装置部材５１４、および一対の第２のリンク装置部材５１６は、リンク装置アセンブリの安定性および信頼性を増大するように提供される。
【００６３】
スライダアーム５１２の第１の端部５１８は、蓋５０４に旋回可能に接続される。スライダアーム５１２の第２の端部５２０は、第１のリンク装置部材５１４に旋回可能に接続される。各スライダアーム５１２は、格納容器５０２上に配置されるガイドボス（ｇｕｉｄｅ  ｂｏｓｓ）５３６を係合するスロット５２２を有する。
【００６４】
第１のリンク装置部材５１４の第１の端部５２４は、スライダアーム５１２の第２の端部５２０に旋回可能に接続され、かつ第１のリンク装置部材５１４の第２の端部５２６は、第２のリンク装置部材５１６に旋回可能に接続される。
【００６５】
第２のリンク装置部材５１６は、格納容器５０２の側壁内に配置されたガイドレール内に配置されかつガイドレール内で移動するように構成された、ガイドピンなどのガイド部材５２８を有する。第２のリンク装置部材５１６の第１の端部５３０は、第１のリンク装置部材５１４の第２の端部５２６に接続される。下方接触部材５３４は、第２のリンク装置部材５１６の第２の端部５３２間に配置される。下方接触部材は、蓋５０４が開かれたときに、試験ストリップ５１０が分与されるように、１つの試験ストリップ５１０と接触する。
【００６６】
本発明の第５の例示的実施形態による試験ストリップを格納しかつ分与するための格納バイアル５００を使用する方法は、以下に記載される。最初に、蓋５０４が開かれ、試験ストリップのスタックは、格納容器５０２内に装填され、かつ蓋５０４が閉じられる。蓋５０４が閉じられて、リンク装置アセンブリ５０８は、静止位置に配置される。静止位置において、第２のリンク装置部材５１６は、格納容器５０２の底部に配置され、かつ下方接触部材５３４は、最も右側の試験ストリップ５１０の底部縁部下方縁部の下側に配置される。
【００６７】
試験ストリップを分与するために、使用者は、格納容器５０２の蓋５０４を開く。蓋５０４を開くことは、スライダアーム５１２を格納容器５０２まで回転させかつ格納容器５０２の外に回転させる。スライダアーム５１２は、所定の経路に沿って、ガイドボス５３６とスライダアーム５１２内のスロットとの協働によって案内される。スライダアーム５１２の第２の端部５２０は、第１のリンク装置部材５１４を引き、第１のリンク装置部材５１４は、次に第２のリンク装置部材５１６を引く。第２のリンク装置部材５１６は、ガイド部材５２８とガイドレールとの協働のために格納容器５０２の内側で実質的に垂直に上方に移動し、かつ分与位置まで上昇させられる。下方接触部材５３４は、試験ストリップの下に配置されるので、それは、上昇しかつ試験ストリップを分与する。第２のリンク装置部材５１６が、分与位置に到達すると、使用者は、試験ストリップを把持しかつ分与された試験ストリップを取り出すことができる。スライダアーム５１２、第１のリンク装置部材５１４、および第２のリンク装置部材５１６は、試験ストリップを格納容器５０２の外に完全に分与するように構成されることができ、または試験ストリップは、使用者が、試験ストリップを格納容器から完全に引き出しかつ試験ストリップを使用するために露出された試験ストリップを把持することができるように、試験ストリップを露出するために格納容器５０２から部分的に分与されることができる。
【００６８】
試験ストリップが分与された後、使用者は、次に蓋５０４を閉じることができる。蓋５０４を閉じることは、リンク装置アセンブリ５０８をその静止位置に戻させる。リンク装置アセンブリ５０８、および特に第２のリンク装置部材５１６が、静止位置に到達するとき、バイアス要素は、新規な試験ストリップが、下方接触部材上に配置されるように、試験ストリップのスタックを格納容器５０２の側壁に向かって付勢する。したがって、格納容器５０２は、次の試験ストリップを分与する準備がされている。
【００６９】
第６の例示的実施形態
図２１を参照すると、本発明の第６の例示的実施形態による試験ストリップを格納しかつ分与するための格納バイアル６００は、試験ストリップのスタックを格納するように構成された格納容器６０２と、螺旋プッシャばね（ｓｐｉｒａｌ  ｐｕｓｈｅｒ  ｓｐｒｉｎｇ）６０４と、サムホイール６０６の回転が、ばねを試験ストリップのスタックの１つの試験ストリップを分与させるように、歯車列６２８によって螺旋プッシャばね６０４に接続されたサムホイール６０６とを含む。
【００７０】
格納容器６０２は、全体的に矩形であり、かつ試験ストリップのスタックを格納するためのカートリッジ６１０を受けるように構成された空洞６１２を形成する。格納容器６０２は、前述されたように任意の適切な材料で形成される。
【００７１】
格納バイアル６００は、湿気および他の環境汚染物が格納容器６０２に入ることを妨げるために蓋６０８を備える。蓋６０８は、一体成形ヒンジなどの任意の適切なタイプの蝶番によって格納バイアルに接続されることができる。
【００７２】
カートリッジ６１０は、格納容器６０２内の空洞に挿入される。螺旋プッシャばね６０４および結合される歯車列６２８は、カートリッジ６１０内に配置される。カートリッジ６１０内の空洞６１２は、試験ストリップのスタックを保持するように構成され、かつ押圧板ならびにバイアス要素は、カートリッジ６１０の１つの壁に向かって要素のスタックを付勢するために空洞内に配置される。カートリッジ６１０は、格納容器６０２から取り外し可能でありまたはそこに恒久的に固定されることができる。
【００７３】
螺旋プッシャばね６０４は、円筒状ばねドラム６１４の周りに巻かれる。螺旋プッシャばね６０４の第１の端部６１６は、カートリッジ６１０内に形成されたガイドトラック６１８内に配置される。螺旋プッシャばね６０４の第２の端部６２０は、円筒状ばねドラム６１４に固定される。螺旋プッシャばね６０４の第１の端部６１６は、試験ストリップの縁部と接触するように構成される。したがって、ばねドラム６１４が回転されたとき、螺旋プッシャばね６０４の第１の端部６１６は、延長され、かつ試験ストリップを分与するためにガイドトラック６１８に沿って移動する。
【００７４】
示される実施形態において、歯車列６２８は、サムホイール駆動歯車６０６、第１のアイドラ（ｉｄｅｌｅｒ）歯車６２２、第２のアイドラ歯車６２４、およびばねドラム駆動歯車６２６を備える。サムホイール駆動歯車６０６は、使用者がサムホイール６０６を操作することができるように、格納容器６０２の外側に部分的に露出される。第１のアイドラ歯車６２２および第２のアイドラ歯車６２４は、サムホイール６０６と係合し、サムホイール６０６によって生成される回転力をばねドラム駆動歯車６２６に伝達する。歯車列６２８は、任意の所望の歯車比で構成されることができる。
【００７５】
本発明の第６の例示的実施形態による試験ストリップを格納しかつ分与するための格納バイアル６００を使用する方法は、以下に記載される。最初に、試験ストリップのスタックは、カートリッジ６１０内に装填され、螺旋プッシャばね６０４は、最初の静止位置内に引き込まれ、かつカートリッジは、格納容器６０２内に挿入される。静止位置において、螺旋プッシャばね６０４は、ばねの端部が、格納容器６０２の底部に配置され、かつ試験ストリップの一端部の下方縁部下にあるように、引き込まれる。
【００７６】
試験ストリップを分与するために、使用者は、分与方向に露出されたサムホイール６０６を回転する。サムホイール６０６の回転力は、歯車列６２８を介して螺旋プッシャばね６０４に伝達される。螺旋プッシャばね６０４は、伸張されて試験ストリップを分与する。サムホイール６０６は、試験ストリップが、格納容器６０２の外に完全に分与するように回転されることができ、または試験ストリップは、使用者が、試験ストリップを完全に引き出しかつ試験ストリップを使用するために露出された試験ストリップを把持することができるように、試験ストリップを露出するために格納容器６０２から部分的に分与されることができる。
【００７７】
試験ストリップが分与された後、使用者は、次に、螺旋プッシャばね６０４をその静止位置に戻すために、分与方向に対する反対方向にサムホイール６０６を回転することができる。代わりに、螺旋プッシャばね６０４の固有のばね力は、自動的にそれをその静止位置へ戻させることができる。螺旋プッシャばね６０４が静止位置に到達するとき、バイアス要素は、新規の試験ストリップが、プッシャばねの端部上に配置されるように、試験ストリップのスタックを螺旋ばねに向かって付勢する。その結果、格納容器６０２は、次の試験ストリップを分与する準備がなされる。
【００７８】
第７の例示的実施形態
図２２を参照すると、本発明の第７の例示的実施形態による試験ストリップを格納しかつ分与するための格納バイアル７００は、試験ストリップのスタックを格納するように構成された格納容器７０２と、試験ストリップのスタックの１つの試験ストリップと接触するように構成されたばね７０４と、ばね７０４に接続されたラック７０６と、ラック７０６に係合するピニオン７０８と、サムホイール７１０の回転が、ラック７０６を変位し、かつばね７０４を接触された試験ストリップを分与させるように、ピニオン７０８と係合するサムホイール７１０とを含む。
【００７９】
この実施形態の格納容器７０２および蓋は、第６の例示的実施形態の格納容器７０２および蓋と全体的に同一に構成される。
【００８０】
カートリッジ７１２は、格納容器７０２内の空洞７１４に挿入される。カートリッジ７１２は、試験ストリップのスタックを保持するように構成された空洞を有し、かつ押圧板ならびにバイアス要素は、カートリッジ７１２の１つの壁に向かって試験ストリップのスタックを付勢するためにカートリッジ７１２内に配置される。カートリッジ７１２は、格納容器７０２から取り外し可能でありまたはそこに恒久的に固定されることができる。
【００８１】
ばね７０４は、カートリッジ７１２内に形成されたガイドトラック７１６内に配置される。ばね７０４の第１の端部７２２は、ガイドトラック７２２によって案内され、かつ試験ストリップの縁部と接触するように構成される。ばね７０４の第２の端部７１８は、ラック７０６に固定される。
【００８２】
ラック７０６は、格納容器７０２内で直線的に移動可能である。ラック７０６は、ラックの一方側に配置されたラック歯車７２０を有する。
【００８３】
ピニオン歯車７０８は、カートリッジ７１２上に回転可能に配置され、かつラック歯車７２０と係合する。
【００８４】
サムホイール７１０は、また、カートリッジ７１２上に回転可能に配置され、かつピニオン歯車７０８と係合する。したがって、サムホイール７１０が回転されるとき、ピニオン歯車７０８は回転し、かつラック７０６は線形に変位する。したがって、取り付けられたばね７０４の第１の端部は、ガイドトラック７２２に沿って移動される。
【００８５】
本発明の第７の例示的実施形態による試験ストリップを格納しかつ分与するための格納バイアルを使用する方法は、以下に記載される。最初に、試験ストリップのスタックは、カートリッジ７１２内に装填され、プッシャばね７０４およびラック７０６は、最初の静止位置内に配置され、かつカートリッジは、格納容器７０２内に挿入される。静止位置において、ラック７０６およびプッシャばね７０４は、ばね７０４の端部が、格納容器７０２の底部に配置され、かつ試験ストリップの一縁部の下方縁部の下方にあるように、引き込まれる。
【００８６】
試験ストリップを分与するために、使用者は、分与方向に露出されたサムホイール７１０を回転する。サムホイール７１０の回転力は、ピニオン歯車７０８に伝達され、かつピニオン歯車７０８は、ピニオン歯車７０８の回転力をラック７０６の線形移動に変換するためにラック歯車７０６と係合する。ラック歯車７０６の線形移動は、プッシャばね７０４を伸張し、かつ試験ストリップを分与する。サムホイール７１０は、試験ストリップが、格納容器７０２の外に完全に分与されるように回転されることができ、または試験ストリップは、使用者が、試験ストリップを完全に引き出しかつ試験ストリップを使用するために露出された試験ストリップを把持することができるように、試験ストリップを露出するために格納容器７０２から部分的に分与されることができる。
【００８７】
試験ストリップが分与された後、使用者は、次に、プッシャばね７０４をその静止位置に戻すために、分与方向に対する反対方向にサムホイール７１０を回転することができる。一方、使用者がサムホイール７１０を反対方向に回転しなくても、プッシャばねは、自動的にその静止位置へ戻ることができる。プッシャばね７０４が静止位置に到達するとき、バイアス要素は、新規の試験ストリップが、プッシャばね７０４の端部上に配置されるように、試験ストリップのスタックをプッシャばね７０４に向かって付勢する。その結果、格納容器７０２は、次の試験ストリップを分与する準備がなされる。
【００８８】
第８の例示的実施形態
図２３〜図２４を参照すると、本発明の第８の例示的実施形態による試験ストリップを格納しかつ分与するための格納バイアル８００は、試験ストリップラックのスタックを格納するように構成された格納容器８０２と、試験ストリップのスタックの１つの試験ストリップと接触するように構成されたばね８０４と、旋回点８０８の周りで旋回するレバーアーム８０６を含む。レバーアーム８０６の第１の端部８１０は、レバーの旋回が、ばね８０４に接触する試験ストリップを分与させるように、ばね８０４を駆動するためにばね８０４に接続される。
【００８９】
この実施形態の格納容器８０２および蓋（図示せず）は、第６の例示的実施形態の格納容器６０２および蓋６０８と全体的に同一に構成される。
【００９０】
カートリッジ８１４は、格納容器８０２内の空洞内に挿入される。カートリッジ８１４内の空洞は、試験ストリップのスタックを保持するように構成され、かつ押圧板ならびにバイアス要素は、カートリッジの１つの壁に向かって試験ストリップのスタックを付勢するために空洞内に配置される。カートリッジ８１４は、格納容器８０２から取り外し可能でありまたはそこに恒久的に固定されることができる。
【００９１】
ばね８０４は、カートリッジ８１４によって形成されたガイドトラック８１８内に配置される。ばね８０４の第１の端部８２０は、ガイドトラック８１８によって案内され、かつ試験ストリップ８１６の縁部と接触するように構成される。ばね８０４の第２の端部８２２は、レバーアーム８０６の第１の端部８１０に固定される。
【００９２】
レバーアーム８０６は、カートリッジ上の旋回点８０８の周りに旋回可能に配置される。レバーアーム８０６の第２の端部８２４は、使用者がレバーアーム８０６を操作することができるように、カートリッジの上方端部上に延びる。
【００９３】
本発明の第８の例示的実施形態による試験ストリップを格納しかつ分与するための格納バイアル８００を使用する方法は、以下に記載される。最初に、試験ストリップのスタックは、カートリッジ８１４内に装填され、レバーアーム８０６およびプッシャばね８０４は、最初の静止位置内に配置され、かつカートリッジは、格納容器８０２内に挿入される。静止位置において、レバーアーム８０６は、格納容器８０２の一方側に旋回され、かつプッシャばね８０４は、ばね８０４の端部が、格納容器８０２の底部に配置され、かつ試験ストリップの一縁部の下方縁部の下方にあるように、引き込まれる。
【００９４】
試験ストリップを分与するために、使用者は、レバーアーム８０６を旋回するためにレバーアーム８０６を押す。レバーアーム８０６の旋回は、プッシャばね８０４をガイドトラックに沿って延ばさせかつ試験ストリップを分与させる。レバーアーム８０６は、使用者が、試験ストリップを把持しかつ分与された試験ストリップを取り出すために十分に離れて旋回させられる。
【００９５】
試験ストリップが分与された後、使用者は、次に、レバーアーム８０６をその最初の静止位置に戻すために旋回することができる。一方、使用者がサムホイール７１０を反対方向に回転しなくても、レバーアームは、自動的にその静止位置へ戻ることができる。レバーアーム８０６が静止位置に到達するとき、バイアス要素は、新規の試験ストリップが、プッシャばね８０４の端部上に配置されるように、試験ストリップのスタックをプッシャばね８０４に向かって付勢する。したがって、格納容器８０２は、次の試験ストリップを分与する準備がなされる。
【００９６】
様々な実施形態は、本発明を示すために選択されたが、様々な変更および修正は、添付の特許請求の範囲に規定される本発明の範囲から逸脱することなく行われることができることは、当業者には理解されるであろう。
【符号の説明】
【００９７】
１００  格納バイアル
１０２  格納容器
１０４  スタック
１０６  ストリップローラ
１０８  サムホイール
１２０  スロット
１３２  バイアス要素
１４０  一体成形ヒンジ
１５０  モータ
１５２  ピニオン
１５４  ロッキング部材
２０８  押しボタン
２０６  ストリップローラ
２２４  蓋
２２８  ストリップローラ歯車
２３２  中間歯車
２３８  ラック歯車
２４４  バイアス要素
４１８  第１のアーム部材
４２０  第２のアーム部材
４２２  第３のアーム部材
【図１】
0005948279.tif 000002
【図２】
0005948279.tif 000003
【図３】
0005948279.tif 000004
【図４】
0005948279.tif 000005
【図５】
0005948279.tif 000006
【図６】
0005948279.tif 000007
【図７】
0005948279.tif 000008
【図８】
0005948279.tif 000009
【図９】
0005948279.tif 000010
【図１０】
0005948279.tif 000011
【図１１】
0005948279.tif 000012
【図１２】
0005948279.tif 000013
【図１３】
0005948279.tif 000014
【図１４】
0005948279.tif 000015
【図１５】
0005948279.tif 000016
【図１６】
0005948279.tif 000017
【図１７】
0005948279.tif 000018
【図１８】
0005948279.tif 000019
【図１９】
0005948279.tif 000020
【図２０】
0005948279.tif 000021
【図２１】
0005948279.tif 000022
【図２２】
0005948279.tif 000023
【図２３】
0005948279.tif 000024
【図２４】
0005948279.tif 000025